(57)【要約】      （修正有）【課題】どの方向から見ても蝶が羽を拡げた状態に見え、しかも高齢者や身体が不自由な人でも取り扱いや操作が簡便な洗濯ばさみの提供。【解決手段】洗濯物を挟む挟持体１の背部に取っ手板５を有し、前記挟持部の開口に洗濯物が入りやすいように案内する一対のガイド板３，４を有しており、前記の取っ手板と前記の一対のガイド板がそれぞれ蝶の羽状をしている。また、前記の挟持部は、筒状体の側壁にスリット状に開口２を開けた構造になっており、前記の筒状体はテーパ状に傾斜しており、挟持用の開口は、筒状体のテーパ状傾斜と同じ方向に傾斜したテーパ状に開いている。【選択図】図１
0003116942.tif 000002
【実用新案登録請求の範囲】
【請求項１】
洗濯物を挟む挟持体が弾力で挟持部を閉じる構造になっており、その背部に取っ手板を有し、前記挟持部の開口縁に、洗濯物が入りやすいように案内する一対の末広がりのガイド板を一体化してあることを特徴とする洗濯ばさみ。
【請求項２】
前記の取っ手板と前記の一対のガイド板がそれぞれ蝶の羽状をしていることを特徴とする請求項１に記載の蝶形洗濯ばさみ。
【請求項３】
前記の挟持部は、筒状体の側壁にスリット状の開口を開けた構成であることを特徴とする請求項１または請求項２に記載の蝶形洗濯ばさみ。
【請求項４】
前記の筒状体はテーパ状に傾斜しており、前記のスリット状開口は、前記筒状体のテーパ状傾斜と同じ方向に傾斜したテーパ状に開いているこどを特徴とする請求項３に記載の蝶形洗濯ばさみ。
【請求項５】
前記のスリット状開口の縁は、滑りにくくするための凹凸又はギザギザ状もしくは粗面になっており、筒状の内面又は外面に円周方向のリブを有していることを特徴とする請求項３または請求項４に記載の蝶形洗濯ばさみ。
【考案の詳細な説明】
【技術分野】
【０００１】
本考案は、洗濯物を挟む洗濯ばさみに関し、洗濯ばさみの着脱操作が容易で、しかも蝶が止まっているように見える蝶形洗濯ばさみに関する。
【背景技術】
【０００２】
洗濯物を干し紐に掛けて干している状態で、各洗濯ばさみが蝶に見えると可愛らしく、かつ微笑ましく見える。このような観点で創作されたと思われる洗濯ばさみとして、意匠登録第1017174 号が提案されている。しかしながら、この洗濯ばさみも、通常の洗濯ばさみと同様に、中央の支軸の片方に洗濯物の挟持部を有し、他方に指で把持する部分を有しており、バネ力に抗して把持部を指で閉じて挟持部を開いた状態で洗濯物を挿入し、把持力を放すと洗濯物がバネ力で挟持される構造になっている。
【特許文献１】意匠登録第1017174 号
【考案の開示】
【考案が解決しようとする課題】
【０００３】
このように、バネ力に抗して指で把持部をつまんで挟持部を押し開く構造になっているので、挟持部を押し開くのに強い力を要する。そのため、力の弱い高齢者や子ども達にとっては、洗濯物干しが負担になる。特に長寿社会となり、高齢者が増えると、高齢者のみの家庭が増えていくため、洗濯物を干すという作業だけでも、年寄りにとっては苦労する。特に、高い場所に有る物干し紐に洗濯物を掛け、さらにバネ力に抗して挟持部を押し開くという作業は大きな負担となる。
【０００４】
また、前記の特許文献１にも図示されているように、洗濯ばさみの把持部は指で把持する部分が小さいため、高齢者にとって扱い難い構造であり、バネ力に抗して挟持部を押し開けるのが一層面倒である。さらに、特許文献１の場合は、蝶形をしているとはいえ、左右一対の羽を有していて、実物の蝶の形状をしているので、丁度真上から見ない限り、蝶形に見えない。ところが、実際には、洗濯ばさみも、物干し紐の真上から装着するのが普通であり、しかも洗濯ばさみの真上から見るということは殆ど有りえないので、特許文献１のように洗濯ばさみを蝶形にしても、蝶形に見える機会は殆ど有りえない。下方ないし側方から見る機会が多い思われるが、下方ないし側方から見た場合は、洗濯物より手前の片方の羽しか見えないので、蝶形としては満足できない。しかも、羽が開いた状態に見えるとは限らない。
【０００５】
本考案の技術的課題は、このような問題に着目し、どの方向から見ても蝶が左右の羽を拡げた状態に見え、しかも高齢者や身体が不自由な人でも取り扱いや操作が簡便な洗濯ばさみを実現することにある。
【課題を解決するための手段】
【０００６】
本考案の技術的課題は次のような手段によって解決される。請求項１は、洗濯物を挟む挟持体が弾力で挟持部を閉じる構造になっており、その背部に取っ手板を有し、前記挟持部の開口縁に、洗濯物が入りやすいように案内する一対の末広がりのガイド板を有していることを特徴とする洗濯ばさみである。この場合の挟持構造は特に限定されない。また、取っ手板やガイド板は、羽状である必要はない。このように、洗濯物を挟む挟持体の背部に取っ手板を有しているので、この取っ手板を蝶の羽状に大きくすることによって、高齢者でも持ちやすく、洗濯物を着脱する操作にも簡便である。また、洗濯物を挟む挟持部の開口縁に、洗濯物が入りやすいように案内する一対のガイド板を有しているので、通常の洗濯ばさみのように、一対のガイド板を有しない構造に比べると、一対のガイド板をガイドにして、一対のガイド板の間から挟持部の開口に洗濯物を挿入できるので、高い場所に張ってある物干し紐に掛けた洗濯物の上かち挟持部を挿入する作業が楽に行なえる。しかも、一対のガイド板を蝶の羽状に大きくすることによって、ガイド作用がより確実となり、加えて蝶の羽状部が全体で３枚になるので、どの方向から見ても、左右の羽を拡げた蝶形に見える。
【０００７】
請求項２は、前記の取っ手板と前記の一対のガイド板がそれぞれ蝶の羽状をしていることを特徴とする請求項１に記載の蝶形洗濯ばさみである。このように、請求項１に記載の取っ手板と前記の一対のガイド板がそれぞれ蝶の羽状をしているため、全体で３枚の蝶羽が有ることになる。このように、物干し紐に装着した状態において、真上に立っている取っ手板も蝶羽状であるため、洗濯物の手前に見える片方のガイド板と相まって、ちょうど蝶が左右の羽を拡げた状態に見えるので、見る者に満足感を与えることができる。真上から見た場合は、一対のガイド板が見えるので、同様に蝶が左右の羽を拡げた状態に見える。
【０００８】
請求項３は、前記の挟持部は、筒状体の側壁にスリット状の開口を開けた構成であることを特徴とする請求項１または請求項２に記載の蝶形洗濯ばさみである。その結果、スリット状の開口縁に前記の一対のガイド板が位置している。このように、洗濯物を挟む挟持部は、筒状体の側壁にスリット状の開口を開けてあるため、スリットの中に、前記の一対のガイド板の間から、洗濯物を被せてある物干し紐を相対的に押し込むだけで、挟持用のスリット状開口が簡単に押し開かれて挿入される。したがって、通常の洗濯ばさみのように、挟持用の開口を開くために、反対側の把持部をバネ力に抗してつまむという操作が必要ない。その結果、強い操作力から開放され、特に高齢者にとって簡便となる。
【０００９】
請求項４は、前記の筒状体はテーパ状に傾斜しており、挟持用のスリット状開口は、筒状体のテーパ状傾斜と同じ方向に傾斜したテーパ状に開いていることを特徴とする請求項３に記載の蝶形洗濯ばさみである。このように、前記の筒状体はテーパ状に傾斜しており、挟持用のスリット状開口は、筒状体のテーパ状傾斜と同じ方向に傾斜したテーパ状に開いているため、洗濯物を掛けてある物干し紐がスリット状開口を通過できず、その結果、筒状体の中に挿入できない場合は、テーパ状スリットの途中で洗濯物と物干し紐が挟持されることになる。したがって、物干し紐の太さのバラツキや干してある洗濯物の厚みなどの如何に関係なく、常に確実に洗濯物を物干し紐の上に挟持できる。また、洗濯ばさみを取り外す際に、容易に外せない場合は、筒状部の前端又は後端を物干し紐側に押し当てて、逆に反対側を引き上げるように操作すれば、テコの原理で楽に外すことができ、従来のように強いバネ力に抗して、挟持部を押し開けるという難儀な操作は要らない。
【００１０】
請求項５は、前記のスリット状開口の縁は、滑りにくくするための凹凸又はギザギザ状もしくは粗面になっており、筒状の内面又は外面に円周方向のリブを有していることを特徴とする請求項３または請求項４に記載の蝶形洗濯ばさみである。このように、前記のスリット状開口の縁は、滑りにくくするための凹凸又はギザギザ状もしくは粗面になっているので、物干し紐の上に洗濯物を掛けてある状態で挟持用のスリットが滑って離脱するような恐れはなく、洗濯物が飛ばされたりしないように確実に挟持できる。また、筒状の内面又は外面に円周方向のリブを有しているので、挟持力を充分に強くできるだけでなく、補強もできる。
【考案の効果】
【００１１】
請求項１のように、洗濯物を挟む挟持体の背部に取っ手板を有しているので、この取っ手板を蝶の羽状に大きくすることによって、高齢者でも持ちやすく、洗濯物を着脱する操作にも簡便である。また、洗濯物を挟む挟持部の開口縁に、洗濯物が入りやすいように案内する一対のガイド板を有しているので、一対のガイド板をガイドにして、挟持部の開口に洗濯物を挿入できるので、高い場所に張ってある物干し紐に掛けた洗濯物の上かち挟持部を挿入する作業が楽に行なえる。しかも、一対のガイド板を蝶の羽状に大きくすることによって、ガイド作用がより確実となり、加えて蝶の羽状部が全体で３枚になるので、どの方向から見ても、左右の羽を拡げた蝶形に見える。
【００１２】
請求項２のように、物干し紐に装着した状態において、真上に立っている取っ手板も蝶羽状であるため、洗濯物の手前に見える片方のガイド板と相まって、ちょうど蝶が左右の羽を拡げた状態に見えるので、見る者に満足感を与えることができる。真上から見た場合は、一対のガイド板が見えるので、同様に蝶が左右の羽を拡げた状態に見える。
【００１３】
請求項３のように、洗濯物を挟む挟持部は、筒状体の側壁にスリット状の開口を開けてあるため、スリットの中に、前記の一対のガイド板の間から、洗濯物を被せてある物干し紐を相対的に押し込むだけで、挟持用のスリット状開口が簡単に押し開かれて挿入される。したがって、通常の洗濯ばさみのように、挟持用の開口を開くために、反対側の把持部をバネ力に抗してつまむという操作が必要ない。その結果、強い操作力から開放され、特に高齢者にとって簡便となる。
【００１４】
請求項４のように、前記の筒状体はテーパ状に傾斜しており、挟持用のスリット状開口は、筒状体のテーパ状傾斜と同じ方向に傾斜したテーパ状に開いているため、洗濯物を掛けてある物干し紐がスリット状開口を通過できず、その結果、筒状体の中に挿入できない場合は、テーパ状スリットの途中で洗濯物と物干し紐が挟持されることになる。したがって、物干し紐の太さのバラツキや干してある洗濯物の厚みなどの如何に関係なく、常に確実に洗濯物を物干し紐の上に挟持できる。また、洗濯ばさみを取り外す際に、容易に外せない場合は、筒状部の前端又は後端を物干し紐側に押し当てて、逆に反対側を引き上げるように操作すれば、テコの原理で楽に外すことができ、従来のように強いバネ力に抗して、挟持部を押し開けるという難儀な操作は要らない。
【００１５】
請求項５のように、前記のスリット状開口の縁は、滑りにくくするための凹凸又はギザギザ状もしくは粗面になっているので、物干し紐の上に洗濯物を掛けてある状態で挟持用のスリットが滑って離脱するような恐れはなく、洗濯物が飛ばされたりしないように確実に挟持できる。また、筒状の内面又は外面に円周方向のリブを有しているので、挟持力を充分に強くできるだけでなく、補強もできる。
【考案を実施するための最良の形態】
【００１６】
次に本考案による蝶形洗濯ばさみが実際上どのように具体化されるか実施形態を説明する。図１は本考案による蝶形洗濯ばさみの実施形態を示す斜視図で、前方から見た斜視図である。１は筒状の挟持体であって、挟持部となるスリット２が開口している。このスリット状開口の入口縁に、一対のガイド板３、４が末広がり状に一体化されており、図示例ではガイド板３、４は、蝶の羽状をしている。スリット状開口２の反対側、すなわち筒状挟持体１の背部に取っ手板５が一体化されている。図示例の取っ手板５は蝶の羽状をしている。
【００１７】
図２は、図１の蝶形洗濯ばさみを反対方向（後方）から見た斜視図であり、左右のガイド板３、４が逆向きになる。また、筒状挟持体１は、図１のように前側が大径で、図２のように後側が小径であることからも明らかなように、図示例ではテーパ状になっている。図３は、蝶形洗濯ばさみをスリット状開口２側すなわち真下から見た底面図であり、図示例では、スリット状開口２も、筒状挟持体１の大径側の幅が広く、小径側の幅が狭くなっていて、テーパ状のスリットになっている。なお、図１や図２からも明らかなように、テーパ状スリット２の入口縁６は三角状に尖っているが、図３の例では、このテーパ状スリット２の入口縁６に凹凸を形成してある。図６のように、凹凸に代えて、又は凹凸と共にギザギザ状ないし粗面にしてあってもよい。図４は、真上から見た平面図であり、筒状挟持体１の背部に、筒状挟持体１の長手方向に伸びた取っ手板５が一体化されている。丁度、飛行機の尾翼のような状態である。
【００１８】
次にこの蝶形洗濯ばさみの使い方を説明する。図５は、物干し紐７の上に洗濯物８を掛けた状態であり、この状態の物干し紐７が、上側に示した蝶形洗濯ばさみのスリット状開口２中に挿入されるように、蝶形洗濯ばさみを相対的に物干し紐７側に矢印ａ１方向に押しつける。その結果、筒状挟持体１自身のバネ力に抗してスリット部２が開いて、物干し紐７の直径部をスリット状開口２の縁部６が通過すると、スリット状開口２の縁部６で物干し紐７の上に洗濯物８が押し付けられて、風で飛ばないように挟持固定される。スリット状開口２がテーパ状でなく、全長が同じ幅の場合は、このような作用で挟持される。この場合は、筒状挟持体１の径は必ずしもテーパ状である必要はなく、全長が同じ太さでもよい。
【００１９】
これに対し、図３のように、スリット状開口２がテーパ状になっている場合は、テーパ状の幅のより広い部分（図の左寄りの部分）だけが物干し紐７の直径部を通過し、その位置で、すなわちテーパ状のスリット状開口の途中で洗濯物８が挟持固定される。そのために、スリット状開口２の入口縁６に滑り止めの凹凸やギザギサがつけてある。物干し紐７の太さはまちまちであり、またタオルケットや毛布のような厚手の洗濯物を干すと、テーパ状部の左寄りの幅のより広い部分で挟持され、逆に物干し紐７が細い場合や、夏物のような薄手の生地を干す場合は、逆にテーパ状部の右寄りの幅のより狭い部分で挟持される。そのために、スリット状開口２をテーパ状に形成してあり、それに合わせて筒状挟持体１もスリット幅の大きい方を大径にし、スリット幅の狭い方を小径にしてある。
【００２０】
このようにして、スリット状開口２の入口縁６で洗濯物と物干し紐７を挟持するが、入口縁６には、凹凸やギザギザ状ないし粗面を形成してあるので、風などで滑って蝶形洗濯ばさみが離脱したりするのを防止できる。また、図５のように、洗濯物８を掛けた状態の物干し紐７を筒状挟持体１中に挿入する際に、スリット状開口２の手前に一対のガイド板３、４が末広がりに開いていて、ガイド板３、４によって物干し紐７がスリット状開口２中に案内されるので、高齢者でも容易に蝶形洗濯ばさみを装着できる。また、装着状態の洗濯ばさみを外す際は、飛行機の尾翼のように立っている取っ手板５を摘んで引き抜くだけでよい。万一、筒状挟持体１の挟持力が強く、引き抜けない場合は、取っ手板５をつまんだ状態で、図４の筒状挟持体１の尾端側すなわち小径側を物干し紐７側に押しつけると共に、先端側すなわち大径側を引き抜くようにして、回転力を加えると、テコの原理で容易に外すことができる。なお、逆に、筒状挟持体１の大径の先端側を物干し紐７側に押しつけ、小径の尾端側を引き抜くようにして、回転力を逆向きに加えてもよい。
【００２１】
一対のガイド板３、４と取っ手板５は、図示例では、蝶の羽状になっている。洗濯物を干した状態では、通常は一対のガイド板３、４の片方は洗濯物の後方に隠れて、手前からは見えない。一方、取っ手板５は常に見えるので、手前のガイド板と相まって、蝶が両羽を拡げているように見える。なお、ガイド板３、４や取っ手板５には、図４のような湾状の穴１２を形成しておくと、この中に物干し紐７が入るように引っ掛けることによって、蝶形洗濯ばさみの保管が容易になり、紛失が防げる。
【００２２】
図６は図３におけるスリット状開口２の別の実施形態を示す拡大図で、筒状挟持体１の内面に円周方向のリブ９を形成してある。リブ９は、筒状挟持体１の外面に設けてもよい。また、スリット状開口２の開口縁６には、凹凸１０や多数の小突起１１を設けてある。なお、テーパ状のスリット状開口２の幅は、広い方が例えば１０ｍｍ程度とすると、狭い方が例えば１〜２ｍｍ程度である。また、筒状挟持体１の小径側の内径は、例えば３ｍｍ程度である。ただし、これらの寸法に限定されないことは言うまでもない。
【産業上の利用可能性】
【００２３】
以上のように、本考案の蝶形洗濯ばさみは、一対のガイド板が蝶の羽状をしているので、洗濯物を容易に挟持部にガイドできると共に蝶の羽状をしていて可愛く見える。また、筒状挟持体の背部にある取っ手板も、蝶の羽状をしているので、３枚の羽状体を有しており、そのうちの２枚は常に見えるので、蝶が左右の羽を拡げているように見える。しかも、洗濯物は、筒状挟持体の弾力に抗してスリット状開口に挿入するだけでよいので、高齢者でも容易に洗濯物の着脱ができる。さらに、スリット状開口がテーパ状なため、物干し紐の太さや洗濯物の厚さが異なる場合でも対応できる。
【図面の簡単な説明】
【００２４】
【図１】本考案による蝶形洗濯ばさみの実施形態を示す斜視図である。
【図２】図１の蝶形洗濯ばさみを反対方向から見た斜視図である。
【図３】蝶形洗濯ばさみをスリット状開口側から見た底面図である。
【図４】蝶形洗濯ばさみを真上から見た平面図である。
【図５】洗濯物を掛けた物干し紐の上に蝶形洗濯ば着脱する操作を説明する断面図である。
【図６】図３におけるスリット状開口の別の実施形態を示す拡大図である。
【符号の説明】
【００２５】
１  筒状の挟持体
２  スリット状の開口
３・４  ガイド板
５  取っ手板
６  開口の入口縁
７  物干し紐
８  洗濯物
９  リブ
１０  凹凸
１１  小突起
１２  湾状の穴
【図１】
0003116942.tif 000003
【図２】
0003116942.tif 000004
【図３】
0003116942.tif 000005
【図４】
0003116942.tif 000006
【図５】
0003116942.tif 000007
【図６】
0003116942.tif 000008